(57)【特許請求の範囲】
【請求項１】
物体側から順に、像側の面が凹面の負の第一レンズと、薄板からなる絞と、物体側の面が凹面または平面の正の第二レンズとを有する内視鏡の対物レンズ部構造において、
上記負の第一レンズの像側の凹面と薄板絞との間に、該第一レンズ及び薄板絞に密着させて透明平行平面板を配置したことを特徴とする内視鏡の対物レンズ部構造。
【請求項２】
請求項１記載の対物レンズ部構造において、透明平行平面板と負の第一レンズは同一径である内視鏡の対物レンズ部構造。
【請求項３】
請求項１記載の対物レンズ部構造において、透明平行平面板の径は、負の第一レンズの径より大きい内視鏡の対物レンズ部構造。
【請求項４】
請求項１ないし３のいずれか１項記載の対物レンズ部構造において、負の第一レンズと透明平行平面板とは接着されている内視鏡の対物レンズ部構造。
【請求項５】
請求項１ないし４のいずれか１項記載の対物レンズ構造において、上記第一レンズ、透明平行平面板及び薄板絞は、長さ方向の中間部に内方フランジを有する筒状の対物レンズ枠の該内方フランジの前方に密着させて嵌合され、上記第二レンズは、この中間内方フランジの中心穴に嵌合されている内視鏡の対物レンズ部構造。
【請求項６】
請求項５記載の対物レンズ構造において、透明平行平面板の径は負の第一レンズの径より大径であって、この透明平行平面板と負の第一レンズは接着されており、対物レンズ枠の先端部は、上記透明平行平面板及び薄板絞を上記中間内方フランジとの間に挟着するべくカシメられている内視鏡の対物レンズ部構造。
【発明の詳細な説明】
【０００１】
【技術分野】
本発明は、内視鏡の先端部に設けられる対物レンズ部の構造に関する。
【０００２】
【従来技術及びその問題点】
内視鏡の対物レンズは、広い視野角を確保するため、物体側の第一レンズは負レンズからなっており、次に、絞、正の第二レンズが配置される。負の第一レンズは、外部に露出する第１面（物体側の面）を平面または凸面とするため、その第２面（像側の面）は必然的に凹面となる。また、第二レンズの第１面（物体側の面）は、収差補正上、通常平面または凹面とされている。第一レンズの第２面の凹面の曲率半径は、レンズ設計によって、種々の値をとるが、第二レンズの第１面は平面または凹面であるため、第一レンズと第二レンズの間に挟着する薄板からなる絞が、その周縁部のみを機械的に保持されることとなって変形しやすいという問題があった。特に、第一レンズの第２面の曲率半径が大きいと、この傾向が強い。一方、第一レンズの第２面の曲率半径が小さい場合には、レンズ厚を厚くしないと、対物レンズ枠との嵌合長を十分とることができず、大型化するとともに、芯出し精度が悪化するいう問題がある。
【０００３】
【発明の目的】
本発明は、従来の対物レンズ構造についての問題意識に基づき、薄板絞の変形のおそれがなく、大型化することがなく、かつ芯出し精度を高めることができる対物レンズ構造を得ることを目的とする。
【０００４】
【発明の概要】
本発明は、薄板絞を透明平行平面板に重ねれば、該絞の変形のおそれをなくすことができ、かつこの透明平行平面板を利用すれば、負の第一レンズの芯出し精度を高めることができるという着想に基づいて完成されたものである。
すなわち本発明は、物体側から順に、像側の面が凹面の負の第一レンズと、薄板からなる絞と、物体側の面が凹面または平面の正の第二レンズとを有する内視鏡の対物レンズ部構造において、負の第一レンズの像側の凹面と薄板絞との間に、該第一レンズ及び薄板絞に密着させて透明平行平面板を配置したことを特徴としている。
【０００５】
透明平行平面板の径は、負の第一レンズの径と同一径とし、あるいは第一レンズ径より大きくすることができる。そして、この負の第一レンズと透明平行平面板とは接着することが好ましい。
【０００６】
筒状の対物レンズ枠には、その長さ方向の中間部分に内方フランジを設け、この内方フランジの前方に、第一レンズ、透明平行平面板及び薄板絞を嵌合させ、内方フランジの中心穴に、第二レンズを嵌合させることができる。
また、透明平行平面板の径を負の第一レンズの径より大径として接着する態様では、対物レンズ枠の先端部を、透明平行平面板及び薄板絞を内方フランジとの間に挟着するべくカシメることができる。
【０００７】
【発明の実施の形態】
以下の各実施形態は、本発明を電子内視鏡に適用した実施形態である。まず図１ないし図４に共通の構成を説明する。対物レンズ枠１１、ＣＣＤ支持枠１２、及び外枠１３がそれぞれ金属製の環状部材である。ＣＣＤ支持枠１２内には、絶縁テープ１４で巻かれたＣＣＤ（固体撮像素子）１５が挿入され、その受光部（撮像面）１５ａはカバーガラス１６で覆われている。
【０００８】
対物レンズ枠１１は、ＣＣＤ支持枠１２の先端部内径側に嵌合されていて、長さ方向の中間部の外方フランジ１１ａによりその挿入端を規制されている。対物レンズ枠１１はまた、長さ方向の中間部に内方フランジ１１ｂを有し、この内方フランジ１１ｂより前方に大径挿入穴１１ｃ、後方に小径挿入穴１１ｄを構成している。また内方フランジ１１ｂには、中心穴１１ｅが形成されている。大径挿入穴１１ｃには、前方（図の左方）から順に、薄板絞２０、透明平行平面板２１、及び第一レンズ２２が挿入され、中心穴１１ｅには、後方（図の右方）から第二レンズ２３が挿入され、小径挿入穴１１ｄには、後方から順に、スぺーサ環２４、及び負レンズ２５と正レンズ２６の貼合せレンズ２７が挿入されている。正レンズ２６の後端面と対物レンズ枠１１の後端面とは、面一になっていて、この面とカバーガラス１６との間に、フィルタ２８が挿入されている。対物レンズ枠１１に挿入される部材は、すべて光軸を中心とする回転対称形状をなしている。
【０００９】
結合された対物レンズ枠１１とＣＣＤ支持枠１２の外周面は、外方フランジ１１ａより後方に巻かれた第二の絶縁テープ２９によって結合されており、この結合体が外枠１３内に挿入され、固定ねじ３０で固定されている。外枠１３の外側は、絶縁カバー３２で覆われており、絶縁カバー３２の先端部と対物レンズ枠１１の先端部外周との間には、別の絶縁リング３３が挿入されている。絶縁カバー３２と絶縁リング３３の嵌合部にはＯリング３４が挿入されている。
【００１０】
第一レンズ２２は、その像側の面（第２面）の中心部に、凹面２２ａを有し、周辺部に平面２２ｂを有している。また、第二レンズ２３の物体側の面（第１面）は、平面２３ａからなっている。第一レンズ２２の平面２２ｂと、透明平行平面板２１と、薄板絞２０と、内方フランジ１１ｂの前端面はそれぞれ密着しており、薄板絞２０の後面には、内方フランジ１１ｂの中心穴１１ｅに嵌めた第二レンズ２３の平面２３ａが密着している。第一レンズ２２の周辺平面２２ｂと、透明平行平面板２１と、薄板絞２０とはそれぞれ接着することができる。また、第二レンズ２３の物体側の面は、凹面でもよい。
【００１１】
以上の図１ないし図４の実施形態に共通の構成である。各実施形態に固有の構成を説明すると、図１の実施形態では、第一レンズ２２の周辺平面２２ｂと透明平行平面板２１とを接着した後、外径芯取りを行ない、これを対物レンズ枠１１の大径挿入穴１１ｃに嵌合させて接着している。この例では、第一レンズ２２と透明平行平面板２１の外径を等しくするので、対物レンズ枠１１との組み付け精度が高い。
【００１２】
図２ないし図４の実施形態では、透明平行平面板２１は第一レンズ２２より大径に形成されており、接着後、それぞれ外径芯取りを行なう。この接着体は、図２、図３の実施形態では、対物レンズ枠１１の大径挿入穴１１ｃに嵌合させた後、大径挿入穴１１ｃの先端をかしめて嵌合小径部１１ｃ’を作り、透明平行平面板２１と薄板絞２０を内方フランジ１１ｂとの間に挟着する。嵌合小径部１１ｃ’と第一レンズ２２との嵌合関係、及び透明平行平面板２１と内方フランジ１１ｂとの嵌合関係により、対物レンズ枠１１との組立精度を出している。第一レンズ２２を大径挿入穴１１ｃに接着する作業を省略できるので、組立時間の短縮が図れるという利点がある。
【００１３】
図４の実施形態では、同様に大径挿入穴１１ｃの先端をかしめて小径部１１ｃ”を作るが、この小径部１１ｃ”は、第一レンズ２２には接触しない。第一レンズ２２は、絶縁リング３３との嵌合関係により、芯出し精度を出す。この実施形態では、小径部１１ｃ”が第一レンズ２２に接触しないので、かしめ作業時に、第一レンズ２２が破損するおそれがない。
【００１４】
図１と図２の実施形態は、図３と図４の実施形態に比較して、第一レンズ２２の中心凹面２２ａの曲率半径が小さく、周辺平面２２ｂの面積が大きい。第一レンズ２２は、周辺平面２２ｂを有するものであれば、凹面２２ａとの大きさの比には自由度がある。
【００１５】
【発明の効果】
本発明の内視鏡の対物レンズ構造によれば、透明平行平面板により薄板絞の変形のおそれがをなくし、かつこの透明平行平面板を利用して第一レンズの芯出しを行なうことができるので、大型化させることなく、芯出し精度を高めることができる。
【図面の簡単な説明】
【図１】本発明による内視鏡の対物レンズ部構造の第一の実施形態を示す縦断面図である。
【図２】同第二の実施形態を示す縦断面図である。
【図３】同第三の実施形態を示す縦断面図である。
【図４】同第四の実施形態を示す縦断面図である。
【符号の説明】
１１  対物レンズ枠
１１ｂ  内方フランジ
１１ｃ  大径挿入穴
１１ｄ  小径挿入穴
１１ｅ  中心穴
２０  薄板絞
２１  透明平行平面板
２２  負の第一レンズ
２２ａ  凹面
２２ｂ  周辺平面
２３  正の第二レンズ
２３ａ  平面
【図１】
0003771669.tif 000002
【図２】
0003771669.tif 000003
【図３】
0003771669.tif 000004
【図４】
0003771669.tif 000005